(57)【要約】      （修正有）【課題】組設手順を簡略化するロータリーパドルレベルスイッチ構造を提供する。【解決手段】ロータリーパドルレベルスイッチ構造は、ケース１０と、載置板２０と、電気アセンブリ３０と、ロータリーパドルアセンブリ４０と、を備える。ケースは、ベース部１１と、上蓋１２と、ねじ込み継手１３と、を含み、載置板がベース部内に固定され、電気アセンブリが上蓋とベース部の間に設けられる。電気アセンブリは、回路基板３１と、一対のマイクロスイッチと、端子台３３と、モータ３４と、を含み、回路基板が載置板とねじ込み継手との間に設けられ、マイクロスイッチ及び端子台が回路基板に設けられ、端子台に複数の端子溝が設けられ、モータの接続端が端子溝に直接に差し込んで回路基板に電気的に接続される。ロータリーパドルアセンブリは、伝動軸セット４１と、羽根４２と、を含み、伝動軸セットの一端がモータに連結され、他端がねじ込み継手を突き出て羽根に連結される。【選択図】図６
0003231390.tif 000002
【実用新案登録請求の範囲】
【請求項１】
ベース部と、
前記ベース部を覆い被せる上蓋と、前記ベース部の底側に組み付けられたねじ込み継手と、を含むケースと、
ベース部内に固定された載置板と、
前記上蓋と前記ベース部で形成された収容空間内に設けられ、回路基板と、前記回路基板に電気的に接続されている一対のマイクロスイッチと、端子台と、モータと、を含み、前記回路基板が前記載置板と前記ねじ込み継手との間に設けられ、前記回路基板及び前記モータが前記載置板の対向する両側面に各々結合され、前記マイクロスイッチ及び前記端子台が前記回路基板の前記ねじ込み継手に面する側に設けられ、前記端子台に複数の端子溝が設けられ、前記モータの接続端が前記端子溝の一つに直接に差し込まれた前記回路基板に電気的に接続される電気アセンブリと、
伝動軸セットと、羽根と、を含み、前記伝動軸セットの一端が前記モータに連結され、他端が前記ねじ込み継手を突き出て前記羽根に連結されるロータリーパドルアセンブリと、
を備えるロータリーパドルレベルスイッチ構造。
【請求項２】
前記載置板に取付けられたリセットアセンブリをさらに備え、前記リセットアセンブリは、底板と、固定ブラケットと、懸架ブラケットと、弾性体と、を含み、前記固定ブラケットの一側が前記底板に枢着され、他側が前記底板に対して回転でき、前記底板が前記モータを載置すると共に前記固定ブラケットに結合され、前記懸架ブラケットが前記固定ブラケットと前記モータとの間に位置し、前記弾性体の一端が前記固定ブラケットに接続され、他端が前記懸架ブラケットに接続される、請求項１に記載のロータリーパドルレベルスイッチ構造。
【請求項３】
前記モータは、固定軸を有し、前記固定ブラケットに固定孔が設けられ、前記懸架ブラケットにスルーホールが設けられ、前記固定軸が前記スルーホールを挿通して前記固定孔内に嵌合され、前記固定ブラケットの回転可能な側には突出しアームが成形され、前記懸架ブラケットの頂面に位置決め座が設けられ、前記弾性体の一端が前記突出しアームに固定され、他端が前記位置決め座に固定される、請求項２に記載のロータリーパドルレベルスイッチ構造。
【請求項４】
前記モータは、回転軸を有し、前記底板に底板穴が設けられ、前記載置板に第１貫通孔が設けられ、前記回転軸が前記底板穴及び前記第１貫通孔を挿通して前記伝動軸セットに連結され、前記底板には作動ロッドを有し、前記載置板に第２貫通孔が設けられ、前記作動ロッドが前記第２貫通孔を挿通して前記一対のマイクロスイッチの間を突き出る、請求項２に記載のロータリーパドルレベルスイッチ構造。
【請求項５】
前記載置板の周縁に少なくとも１つの第１通線溝が設けられ、前記回路基板の周縁に少なくとも１つの第２通線溝が設けられ、前記モータの導線は、前記少なくとも１つの第１通線溝及び前記少なくとも１つの第２通線溝を通して前記端子溝の１つに差し込むことができる、請求項１に記載のロータリーパドルレベルスイッチ構造。
【請求項６】
前記モータは、直流モータであり、前記回路基板が前記端子台のある側にコンバータが設けられる、請求項１に記載のロータリーパドルレベルスイッチ構造。
【請求項７】
前記回路基板にスロットが設けられ、前記一対のマイクロスイッチは、前記スロット内に配置され、前記モータの前記回転軸が前記伝動軸セットを介して前記スロットに通して前記羽根を回転させる、請求項４に記載のロータリーパドルレベルスイッチ構造。
【請求項８】
前記伝動軸セットは、上部接続管と、下部接続管と、磁性素子と、前記羽根に連結される伝動軸と、を含み、前記上部接続管が前記回転軸に接続され、前記回転軸に追従して回転し、前記磁性素子が前記上部接続管の前記下部接続管に面する端に設けられ、前記下部接続管が前記伝動軸に接続され、かつ前記伝動軸は前記下部接続管に前記磁性素子の磁気吸引力の作用を受けることによって、前記上部接続管と結合し、前記上部接続管と一緒に回転する、請求項４に記載のロータリーパドルレベルスイッチ構造。
【考案の詳細な説明】
【技術分野】
【０００１】
本考案は、レベルセンサーに関し、特に、ロータリーパドルレベルスイッチ構造に関する。
【背景技術】
【０００２】
従来のロータリーパドルレベルスイッチの主な構造は、ケースの内部にモータ、伝動軸、回路基板及びマイクロスイッチ等の素子が取付けられ、モータと回路基板とマイクロスイッチとの間が導線を通じて電気的な接続を実現し、導線が接続時に溶接及び配線を行わなければならないため、組立手順が比較的に煩雑で不便となり、生産効率も下がっていた。
【０００３】
さらに、従来のロータリーパドルレベルスイッチの全体的な体積は、比較的に大きく、スレッドエンド付属品が貯蔵庫の受口に応じて異なる寸法に調整しなければならない。スレッドエンド付属品は、通常に鋳造方法でケースベース部と一体成形されるため、各製品の寸法に応じて起型する場合、開発コストが高すぎて望ましくなかった。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案の目的は、モータの導線を端子溝に直接に差し込んで回路基板に電気的に接続されるため、回路基板にマイクロスイッチ及び端子台が設けられることで、従来に使用される溶接の煩雑な手順を省き、組設手順を簡略化するという目的を達成するロータリーパドルレベルスイッチ構造を提供することである。なお、本考案のロータリーパドルレベルスイッチ構造の組設手順は、ロータリーパドルレベルスイッチ構造の下端からモジュール方式で上方に向かって電気アセンブリ、モータ及びリセットアセンブリの上端まで組み立て、従来の上端、下端を別々に組み立てた後、上端と下端を接続して組み立てる煩雑な手順を改善できる。
【０００６】
本考案の別の目的は、ケースのベース部及びねじ込み継手が、分離設置方法を用い、従来のダイカスト金型の費用を節約し、製品開発コスト削減の目的を達成するロータリーパドルレベルスイッチ構造を提供することである。なお、本考案のロータリーパドルレベルスイッチ構造の分離設置利点は、異なる用途に応じて拡張型又は高温型のマッチングアセンブリとして使用できるため、従来のダイカスト固定寸法構造の制限を受けないことである。
【課題を解決するための手段】
【０００７】
上記目的を達成するため、本考案に係るロータリーパドルレベルスイッチ構造は、ケースと、載置板と、電気アセンブリと、ロータリーパドルアセンブリと、を備える。ケースは、ベース部と、ベース部を覆い被せる上蓋と、ベース部の底側に組み付けられたねじ込み継手と、を含み、載置板がベース部内に固定され、電気アセンブリが上蓋とベース部で形成された収容空間内に設けられる。電気アセンブリは、回路基板と、回路基板に電気的に接続されている一対のマイクロスイッチと、端子台と、モータと、を含み、回路基板が載置板とねじ込み継手との間に設けられ、回路基板及びモータが載置板の対向する両側面に各々結合され、マイクロスイッチ及び端子台が回路基板のねじ込み継手に面する側に設けられ、端子台に複数の端子溝が設けられ、モータの接続端が端子溝に直接に差し込んで回路基板に電気的に接続される。ロータリーパドルアセンブリは、伝動軸セットと、羽根と、を含み、伝動軸セットの一端がモータに連結され、他端がねじ込み継手を突き出て羽根に連結される。
【０００８】
本考案の別の目的は、駆動素子が小型で安全な直流（ＤＣ）モータを使用し、回路基板を載置板の底側に設け、また回路基板にスロットが設けられ、マイクロスイッチをスロット内に配置することで、ロータリーパドルレベルスイッチの全体的な体積を減らすという目的を達成するロータリーパドルレベルスイッチ構造を提供することである。
【考案の効果】
【０００９】
従来技術と比較して、本考案のロータリーパドルレベルスイッチは、回路基板にマイクロスイッチ及び端子台が設けられ、モータの導線を端子溝に直接に差し込んで回路基板に電気的に接続されるため、従来に使用される溶接の煩雑な手順を省き、手順の簡略化及び構設作業時間の削減という目的を達成する。次に、ケースのベース部及びねじ込み継手は、別々に設置してから結合するという方法を用いることで、従来のダイカスト金型の費用を節約して、製品開発コストを削減するという目的を達成する。なお、本考案の回路基板にコンバータが設けられるため、小型で安全に使用できるＤＣモータを使用できる。また、上蓋内に設けられて大きな内部空間を占める従来の回路基板と比較して、本考案は回路基板を載置板の底側に設けることで、上蓋の収容空間を減らすことができるため、全体的な体積を減らすという目的を達成し、本考案の実用性を高めることができる。
【図面の簡単な説明】
【００１０】
【図１】本考案のロータリーパドルレベルスイッチの立体外観図である。
【図２】本考案のロータリーパドルレベルスイッチの両側方向から見た立体分解図である。
【図３】本考案のロータリーパドルレベルスイッチの両側方向から見た立体分解図である。
【図４】本考案のリセットアセンブリ及びモータの立体分解図である。
【図５】本考案の回路基板、マイクロスイッチ及び端子台の立体分解図である。
【図６】本考案のロータリーパドルレベルスイッチの断面図である。
【考案を実施するための形態】
【００１１】
以下、本考案の詳細な説明及び技術内容は、図面を参照しつつ説明するが、添付図面は、例示のみを目的としており、本考案を限定することを意図するものではない。
【００１２】
図１乃至図３を参照すると、それぞれ本考案のロータリーパドルレベルスイッチの立体外観図及び両側方向から見た立体分解図である。本考案に係るロータリーパドルレベルスイッチ１は、ケース１０と、載置板２０と、電気アセンブリ３０と、ロータリーパドルアセンブリ４０と、を備える。前記電気アセンブリ３０は、前記載置板２０に配置され、前記ケース１０内に取付けられる。前記ロータリーパドルアセンブリ４０は、前記電気アセンブリ３０に接続され、前記ケース１０から突出している。ロータリーパドルアセンブリ４０が原料に接触していない時、電気アセンブリ３０が運転を続けて信号を送り、一方、ロータリーパドルアセンブリ４０が原料に接触して抵抗力を受けると、回転を停止すると共に信号を送る。それによって原料貯蔵の高さへの検出目的を達成する。
【００１３】
前記ケース１０は、ベース部１１と、前記ベース部１１を覆い被せる上蓋１２と、前記ベース部１２の底側に組み付けられたねじ込み継手１３と、を含む。本実施例において、前記ねじ込み継手１３に複数の雄ネジ１３１が設けられる。前記ロータリーパドルレベルスイッチ１は、前記ねじ込み継手１３の雄ネジ１３１を介して固定位置に螺合されることができる。
【００１４】
前記ベース部１１及び前記ねじ込み継手１３は、別々に配置されることに留意されたい。例えば、前記ねじ込み継手１３がＣＮＣ又は旋削加工等の方法で異なる寸法に製造することで、異なる製品の型番に応用でき、それにより、従来のダイカスト金型の費用を省き、製品の開発コストを削減するという目的を達成することができる。
【００１５】
前記載置板２０は、前記ベース部１１内に固定される。前記電気アセンブリ３０は、前記上蓋１２と前記ベース部１１で形成される収容空間１００内に設けられる。
【００１６】
前記電気アセンブリ３０は、回路基板３１と、前記回路基板３１に電気的に接続されている一対のマイクロスイッチ３２と、端子台３３と、モータ３４と、を含み、前記回路基板３１が載置板２０とねじ込み継手１３との間に設けられ、前記回路基板３１及び前記モータ３４が前記載置板２０の対向する両側面に各々結合される。前記マイクロスイッチ３２及び前記端子台３３は、前記回路基板３１の前記ねじ込み継手１３に面する側に設けられ、前記端子台３３に複数の端子溝３３０が設けられ、前記モータ３４の接続端が端子溝３３０の一つに直接に差し込んで前記回路基板３１に電気的に接続される。
【００１７】
より詳しく言うと、前記載置板２０の周縁に少なくとも１つの第１通線溝２１が設けられ、前記回路基板３１の周縁に少なくとも１つの第２通線溝３１１が設けられる。これにより、前記モータ３４の導線（図示せず）は、前記少なくとも１つの第１通線溝２１及び少なくとも１つの第２通線溝３１１を通して端子溝３３０の１つに差し込むことができる。
【００１８】
本考案の一実施例において、前記ベース部１１の一側に前記収容空間１００に連通される配線口１１０が設けられ、前記配線口１１０はケーブル２を設けて前記回路基板３１に電気的に接続されるために用いられる。また、前記モータ３４は、ＤＣモータであり、前記回路基板３１が前記端子台３３のある側にコンバータ３５が設けられる。
【００１９】
次に前記ロータリーパドルアセンブリ４０は、伝動軸セット４１と羽根４２と、を含む。前記伝動軸セット４１の一端が前記モータ３４に連結され、他端が前記ねじ込み継手１３を突き出て前記羽根４２に連結される。
【００２０】
具体的に、前記モータ３４は、回転軸３４１を有する。なお、前記伝動軸セット４１は、上部接続管４１１と、下部接続管４１２と、磁性素子４１３と、前記羽根４２に連結される伝動軸４１４と、を含む。好ましくは、前記磁性素子４１３は、磁石である。なお、前記上部接続管４１１及び前記下部接続管４１２は、各々金属材質で構成される。
【００２１】
さらに、前記上部接続管４１１は、前記回転軸３４１に接続され、前記回転軸３４１に追従して回転する。前記磁性素子４１３は、前記上部接続管４１１の前記下部接続管４１２に面する端に設けられる。前記下部接続管４１２は、前記伝動軸４１４に接続され、かつ前記伝動軸４１４は前記下部接続管４１２に前記磁性素子４１３の磁気吸引力の作用を受けることによって、前記上部接続管４１１と結合し、前記上部接続管４１１と一緒に回転する（同時に図６を参照）。
【００２２】
羽根４２と伝動軸４１４が抵抗力（原料に接触）を受けて回転を停止すると、上部接続管４１１、下部接続管４１２及び磁性素子４１３から成るクラッチ構造は、回転脱離を生じさせる。前記モータ３４の回転軸３４１は、モータ３４のトルク出力により、モータ３４に偏心変位を生じさせ続けることで、作動ロッド５１１をマイクロスイッチ３２に接触させた後、モータ３４の回転を停止させて、前記モータ３４が過度の負荷で運転するのを防いで、前記モータ３４の寿命を延長させる。
【００２３】
本実施例において、ロータリーパドルレベルスイッチ１は、前記載置板２０に取付けられたリセットアセンブリ５０をさらに備える。前記リセットアセンブリ５０の詳細な構造は、後記の通りである。
【００２４】
図４乃至図６を参照すると、それぞれ本考案のリセットアセンブリ及びモータの立体分解図、回路基板、マイクロスイッチ及び端子台の立体分解図及びロータリーパドルレベルスイッチの断面図である。図４に示すように、前記リセットアセンブリ５０は、底板５１と、固定ブラケット５２と、懸架ブラケット５３と、弾性体５４と、を含む。前記固定ブラケット５２の一側が前記底板５１に枢着され、他側が前記底板５１に対して回転することができる。前記底板５１は、前記モータ３４を載置すると共に前記固定ブラケット５１に結合される。前記懸架ブラケット５３は、前記固定ブラケット５２と前記モータ３４との間に位置する。前記弾性体５４の一端は、前記固定ブラケット５２に接続され、他端が前記懸架ブラケット５３に接続される。
【００２５】
具体的に、前述のように、前記モータ３４の一側には、回転軸３４１を有する。前記底板５１に底板穴５１０が設けられ、前記載置板２０に第１貫通孔２２が設けられる。したがって、前記回転軸３４１は、前記底板穴５１０及び前記第１貫通孔２２を挿通して前記伝動軸セット４１に連結される（図３参照）。
【００２６】
なお、前記モータ３４の他側には、固定軸３４２を有する。前記固定ブラケット５２に固定孔５２０が設けられ、前記懸架ブラケット５３にスルーホール５３０が設けられる。前記固定軸３４２は、前記スルーホール５３０を挿通して前記固定孔５２０内に嵌合される。前記モータ３４及び前記底板５１は、前記固定ブラケット５２の下に懸架されることは注目に値する。
【００２７】
さらに、前記固定ブラケット５２の回転可能な側には、突出しアーム５２１を成形する。前記懸架ブラケット５３の頂面に位置決め座５３１が設けられる。したがって、前記弾性体５４の一端は、前記突出しアーム５２１に固定され、他端が前記位置決め座５３１に固定される。好ましくは、前記弾性体５４は、バネとして設置することができ、前記固定ブラケット５２及び前記懸架ブラケット５３が前記弾性体５４の弾性力によって元の位置に戻る。また、前記底板５１には、作動ロッド５１１を有する。前記載置板２０に第２貫通孔２３が設けられる。前記作動ロッド５１１は、前記第２貫通孔２３を挿通して前記一対のマイクロスイッチ３２の間を突き出る（図３参照）。
【００２８】
図５に示すように、本実施例において、前記回路基板３１に不規則な形状のスロット３１０が設けられる。前記一対のマイクロスイッチ３２は、前記スロット３１０内に配置されることで、前記マイクロスイッチ３２及び前記回路基板３１が結合した後の全体的な厚さを減少させる。なお、前記モータ３４の回転軸３４１は、前記伝動軸セット４１を介して前記スロット３１０に通して前記羽根４２を回転させる。
【００２９】
さらに、本考案のロータリーパドルレベルスイッチ１は、容器内の原料の高さを検出するために用いられることに留意されたい。実際に使用する時、前記伝動軸４１４及び羽根４２は、容器内に延在し、前記モータ３４の回転軸３４１によって回転駆動させる。
【００３０】
前記作動ロッド５１１は、正常な運転において、マイクロスイッチ３２の１つを連続的に押し下げる（図１参照）。この時、マイクロスイッチ３２は、信号を前記回路基板３１及び前記端子台３３に送信して、メッセージを外部に伝送する。一方、原料が前記羽根４２に接触すると、前記羽根４２が原料の抵抗力を受けて回転を停止し、前記モータ３４は前記回転軸３４１の回転が抵抗力を受けて変位し、この時、前記作動ロッド５１１が移動して別のマイクロスイッチ３２に当接して、信号を前記回路基板３１及び前記端子台３３に送信することで、メッセージを外部に伝送する。
【００３１】
上記は、本考案の好ましい実施例に過ぎず、これにより本考案の権利範囲を限定するものではなく、本考案の精神を運用して行われた均等範囲内の変化は、すべて本考案の保護範囲に網羅される。
【符号の説明】
【００３２】
１      ロータリーパドルレベルスイッチ
２      ケーブル
１０    ケース
１００  収容空間
１１    ベース部
１１０  配線口
１２    上蓋
１３    ねじ込み継手
１３１  雄ネジ
２０    載置板
２１    第１通線溝
２２    第１貫通孔
２３    第２貫通孔
３０    電気アセンブリ
３１    回路基板
３１０  スロット
３１１  第２通線溝
３２    マイクロスイッチ
３３    端子台
３３０  端子溝
３４    モータ
３４１  回転軸
３４２  固定軸
３５    コンバータ
４０    ロータリーパドルアセンブリ
４１    伝動軸セット
４１１  上部接続管
４１２  下部接続管
４１３  磁性素子
４１４  伝動軸
４２    羽根
５０    リセットアセンブリ
５１    底板
５１０  底板穴
５１１  作動ロッド
５２    固定ブラケット
５２０  固定孔
５２１  突出しアーム
５３    懸架ブラケット
５３０  スルーホール
５３１  位置決め座
５４    弾性体
【図１】
0003231390.tif 000003
【図２】
0003231390.tif 000004
【図３】
0003231390.tif 000005
【図４】
0003231390.tif 000006
【図５】
0003231390.tif 000007
【図６】
0003231390.tif 000008